(57)【要約】【課題】高い接触荷重を確保することができ、且つ、タブの位置ずれの影響を受けにくい端子構造を提供する。【解決手段】雄端子１０は、前後方向に延出するタブ１１を有している。雌端子６０は、前後方向に延出する平板状の基部６４と、基部６４の一側縁から立ち上がり、さらに回曲して先端が基部６４に向けて配置される接触片部６７と、接触片部６７の立ち上がり部分と対向する側で接触片部６７の先端と基部６４との間を開放する開放部６９とを有している。タブ１１は、雄端子１０及び雌端子６０の接続時に、基部６４と接触片部６７との間に弾性的に挟持されて、接触片部６７の先端縁に前後方向に沿って接触する部分を有するとともに、開放部６９から側外方へ突出する部分を有する。【選択図】図３
2018010818.tif 000002
【特許請求の範囲】
【請求項１】
互いに接続される雄端子及び雌端子を備える端子構造であって、
前記雄端子は、前後方向に延出するタブを有し、
前記雌端子は、前後方向に延出する平板状の基部と、前記基部の一側縁から立ち上がり、さらに回曲して先端が前記基部に向けて配置される接触片部と、前記接触片部の立ち上がり部分と対向する側で前記接触片部の先端と前記基部との間を開放する開放部とを有し、
前記タブは、前記雄端子及び雌端子の接続時に、前記基部と前記接触片部との間に弾性的に挟持されて、前記接触片部の先端縁に前後方向に沿って接触する部分を有するとともに、前記開放部から側外方へ突出する部分を有することを特徴とする端子構造。
【請求項２】
前記タブの、前記接触片部の先端縁に前後方向に沿って接触する部分には、前記タブが前記開放部から抜け出る方向で前記接触片部と接触する段差状のストッパ面が設けられている請求項１記載の端子構造。
【発明の詳細な説明】
【技術分野】
【０００１】
本発明は、端子構造に関する。
【背景技術】
【０００２】
特許文献１には、互いに接続される雄端子及び雌端子を備えた端子構造が開示されている。雄端子は、前後方向に沿って延出するタブを有している。雌端子は、タブが嵌合される断面矩形状の嵌合部を有している。嵌合部の内部には、弾性変形可能な舌片が突出して設けられている。タブは、嵌合部の内部に挿入されて、舌片と嵌合部の天井面との間に弾性的に挟持され、雌端子に電気的に接続されるようになっている。
【先行技術文献】
【特許文献】
【０００３】
【特許文献１】特開２００１−３５７９２２号公報
【発明の概要】
【発明が解決しようとする課題】
【０００４】
ところで、端子が小型になると、舌片も相対的に小さくなって弾性力が減退し、タブに対して高い接触荷重（接圧）を得ることができない懸念がある。また、小型端子の場合、タブの軸心が嵌合部に対して少しでも位置ずれしていると、その位置ずれの影響が顕著になり、タブと舌片との接触位置を安定させて定めることができないという問題もある。
【０００５】
本発明は上記のような事情に基づいて完成されたものであって、高い接触荷重を確保することができ、且つ、タブの位置ずれの影響を受けにくい端子構造を提供することを目的とする。
【課題を解決するための手段】
【０００６】
本発明は、互いに接続される雄端子及び雌端子を備える端子構造であって、前記雄端子は、前後方向に延出するタブを有し、前記雌端子は、前後方向に延出する平板状の基部と、前記基部の一側縁から立ち上がり、さらに回曲して先端が前記基部に向けて配置される接触片部と、前記接触片部の立ち上がり部分と対向する側で前記接触片部の先端と前記基部との間を開放する開放部とを有し、前記タブは、前記雄端子及び雌端子の接続時に、前記基部と前記接触片部との間に弾性的に挟持されて、前記接触片部の先端縁に前後方向に沿って接触する部分を有するとともに、前記開放部から側外方へ突出する部分を有するところに特徴を有する。
【発明の効果】
【０００７】
雄端子及び雌端子の接続時に、タブが基部と接触片部との間に弾性的に挟持されて接触片部の先端縁に前後方向に沿って接触する部分を有するから、小型端子であっても、高い接触荷重を確保することができる。また、タブが開放部から側外方へ突出する部分を有するから、両端子間の芯出しが実質的に不要となり、タブの位置ずれの影響を受けにくい構造にすることができる。
【図面の簡単な説明】
【０００８】
【図１】本発明の実施例１に係る端子構造の雌端子の斜視図である。
【図２】雄端子及び雌端子の接続状態を示す斜視図である。
【図３】雄端子及び雌端子の接続状態を示す要部破断正面図である。
【図４】本発明の実施例２に係る端子構造の雄端子及び雌端子の接続状態を示す要部破断正面図である。
【発明を実施するための形態】
【０００９】
本発明の好ましい実施形態を以下に示す。
前記タブの、前記接触片部の先端縁に前後方向に沿って接触する部分には、前記タブが前記開放部から抜け出る方向で前記接触片部と接触する段差状のストッパ面が設けられているとよい。これによれば、振動時等において、タブが開放部から抜け出る方向に位置ずれするのを規制することができ、両端子の接触位置を安定させて定めることができる。
【００１０】
＜実施例１＞
以下、実施例１を図１〜図３によって説明する。本実施例１に係る端子構造は、互いに接続する雄端子１０及び雌端子６０を備えている。雄端子１０は、図示しない雄ハウジングの内部に配置され、同じく、雌端子６０は、図示しない雌ハウジングの内部に配置されている。両ハウジングが互いに嵌合されることにより、雄端子１０及び雌端子６０が互いに電気的に接続されるようになっている。特に、本実施例１の場合は、雄端子１０及び雌端子６０が極小サイズで構成されている。
【００１１】
雄端子１０は導電金属製であって、図２に示すように、前後方向に細長く延出する断面角形状で中実のタブ１１を有している。タブ１１の上下両面は、上面の一部（後述する受部１２）を除いて左右方向に沿って配置され、タブ１１の左右両面は、上下方向に沿って配置されている。このタブ１１は、上下両面の左右寸法が左右両面の上下寸法よりも長い形状になっている。
【００１２】
タブ１１の上面における左右方向中央から一側（図３の右側）へ寄った位置には、雌端子６０の後述する接触片部６７の先端を受ける受部１２が凹設されている。受部１２は、左右方向に沿った底面１３と上下方向に沿った一対の側面とを有して浅底の断面角凹状をなし、タブ１１に前後方向の全長にわたって延出する形状になっている。両側面のうち、図３の左側の側面は、雌端子６０に対してタブ１１が図示右方へ位置ずれするのを規制するストッパ面１４として構成される。
【００１３】
雌端子６０は、導電性の金属板を所定形状に打ち抜いた後、曲げ加工して形成され、全体として前後方向に細長い形状になっている。図１に示すように、雌端子６０は、前部に雄端子１０のタブ１１に接続される接続部６１を有し、後部に電線９０の端末部に接続されるワイヤバレル部６２及びインシュレーションバレル部６３を有している。ワイヤバレル部６２は、電線９０の端末部において露出する芯線部９１に圧着して電気的に接続される。インシュレーションバレル部６３は、ワイヤバレル部６２の後方に位置し、電線９０の端末部における被覆部９２に圧着して機械的に接続される。
【００１４】
接続部６１は、雌端子６０全体の前後長の半分又は半分を少し超える長さで細長く延出する形状になっている。図３に示すように、接続部６１は、平板状の基部６４と、基部６４の前後方向に沿った一側縁から立ち上がる立ち上がり部６５と、立ち上がり部６５の上端部分から半円弧状に回曲して先端が基部６４の他側縁側に上方から臨むように垂れ下がる弧状部６６とを有している。基部６４、立ち上がり部６５及び弧状部６６は、周方向に連続して形成されている。
【００１５】
図１に示すように、基部６４は、ワイヤバレル部６２及びインシュレーションバレル部６３の底板部分から連続し、立ち上がり部６５は、ワイヤバレル部６２及びインシュレーションバレル部６３の側板部分から連続して配置されている。図３に示すように、立ち上がり部６５は、基部６４の一側縁に対して略直角に立ち上がる形状とされている。立ち上がり部６５と弧状部６６とは接触片部６７として構成され、接触片部６７は、基部６４の一側縁を支点として撓み変形可能とされている。弧状部６６の先端前縁にはテーパ状の面取り部６８が設けられている。
【００１６】
また、接続部６１のうち、立ち上がり部６５と対向する側で弧状部６６の先端と基部６４の上面との間の位置は、開放部６９として側外方に開放されている。弧状部６６の先端及び基部６４の上面は、面取り部６８を除いて前後方向にほぼ平行に配置されており、開放部６９は、前後方向にほぼ同一高さで連続し、接続部６１の前後両端にも開放されている。開放部６９の高さ寸法（上下寸法）は、接触片部６７が自然状態にあるときに、タブ１１の下面と受部１２の底面１３との間の高さ寸法より少し小さくされている。
【００１７】
続いて、雄端子１０及び雌端子６０の接続方法及び接続構造について説明する。
雄端子１０及び雌端子６０の接続に先立ち、雌端子６０のワイヤバレル部６２及びインシュレーションバレル部６３に電線９０が接続され、雌端子６０が雌ハウジングに複数装着されるとともに、雄端子１０が雄ハウジングに複数装着される。
【００１８】
次いで、両ハウジングが互いに嵌合される。両ハウジングの嵌合過程では、雄端子１０のタブ１１の受部１２が雌端子６０の面取り部６８を摺動し、それに伴って接触片部６７がやや撓み変形させられる。その状態で、雌端子６０の弧状部６６の先端が受部１２に挿入されて底面１３に摺接させられ、受部１２に沿って両端子１０、６０の接続動作が案内される。また、タブ１１のうち、受部１２より図示右側の端部は、開放部６９から側外方にはみ出た状態になる。
【００１９】
両ハウジングの正規嵌合時には、図２に示すように、雌端子６０の弧状部６６の先端が受部１２の底面１３に前後方向に沿って長く当接した状態となり、両端子１０、６０が高い接触荷重をもって電気的に接続される。また、タブ１１の端部は開放部６９から側外方に突出しているため、タブ１１と接続部６１の相互の軸芯は幅方向に偏心する。ここで、両端子１０、６０は、弧状部６６の先端と受部１２の両側面との隙間範囲で幅方向への位置ずれが許容される。よって、本実施例１の場合、両端子１０、６０の軸芯を厳密に合わせる必要がなく、位置ずれの影響を受け易い小型端子に好適に用いることができる。
【００２０】
ところで、周辺の振動等（例えば、エンジン振動等）によって、タブ１１が接続部６１の開放部６９から抜け出る方向（図３の右方）に位置ずれしようとすると、受部１２のストッパ面１４が弧状部６６の先端側の内面に当接し、タブ１１の位置ずれが規制される。このため、両端子１０、６０の接触状態が安定的に維持される。
【００２１】
＜実施例２＞
図４は、本発明の実施例２を示す。実施例２の場合、雄端子１０の受部１２Ａの形状が実施例１のものとは異なるが、その他は実施例１と同様であり、実施例１と同一又は相当する部位には同一符号を付し、重複する説明を省略する。
【００２２】
受部１２Ａは、タブ１１の上面における図４の右側の角部に切欠状に凹設されている。この受部１２Ａは、左右方向に沿った底面１３Ａと上下方向に沿ったストッパ面１４Ａとを有して断面Ｌ字状をなし、ストッパ面１４Ａと対向する側が開放された形状になっている。
【００２３】
実施例２の場合、受部１２Ａの底面１３Ａが実施例１のものよりも幅方向に増大しているため、弧状部６６の先端が受部１２Ａに確実に受けられるとともに、タブ１１と接続部６１との間の位置ずれを容易に吸収することができる。
【００２４】
なお、弧状部６６の先端が受部１２Ａの底面１３Ａに当接した状態で、タブ１１が開放部６９から抜け出る方向に位置ずれするのがストッパ面１４Ａによって規制される点は、実施例１と同様である。
【００２５】
＜他の実施例＞
以下、他の実施例を簡単に説明する。
（１）タブは、受部を有さず、上面が幅方向に凹凸無く連なる平坦面で構成されるものであってもよい。
（２）接触片部は、立ち上がり部を有さず、基部の一側縁から円弧状の弧状部のみで構成されるものであってもよい。
【符号の説明】
【００２６】
１０…雄端子
１１…タブ
１２、１２Ａ…受部
１４、１４Ａ…ストッパ面
６０…雌端子
６１…接続部
６５…立ち上がり部（立ち上がり部分）
６９…開放部
９０…電線
【図１】
2018010818.tif 000003
【図２】
2018010818.tif 000004
【図３】
2018010818.tif 000005
【図４】
2018010818.tif 000006